(57)【要約】  無線基地局は、非直交多元接続を適用すべき第１ユーザ端末及び第２ユーザ端末を特定する制御部と、第１ユーザ端末宛の信号及び第２ユーザ端末宛の信号を非直交多元接続によって送信する送信部とを備え、送信部は、第２ユーザ端末宛の信号のキャンセルに用いるキャンセル情報を第１ユーザ端末に送信する。
2016185969.tif 000002
【特許請求の範囲】
【請求項１】
複数のユーザ端末宛の信号を同一の無線リソースに多重する非直交多元接続に対応する無線基地局であって、
前記非直交多元接続を適用すべき第１ユーザ端末及び第２ユーザ端末を特定する制御部と、
前記第１ユーザ端末宛の信号及び前記第２ユーザ端末宛の信号を前記非直交多元接続によって送信する送信部とを備え、
前記第２ユーザ端末宛の信号のキャンセルに用いるキャンセル情報を前記第１ユーザ端末に送信することを特徴とする無線基地局。
【請求項２】
前記キャンセル情報は、前記第１ユーザ端末宛の信号及び前記第２ユーザ端末宛の信号の多重化方法を示す情報を含むことを特徴とする請求項１に記載の無線基地局。
【請求項３】
前記キャンセル情報は、前記第２ユーザ端末に適用される変調方式及び符号化方式の組合せを示す情報、前記第２ユーザ端末に割り当てられた識別情報、前記第２ユーザ端末に適用される冗長モードを示す情報、及び、前記第２ユーザ端末に適用される送信モードを示す情報の中から選択された１以上の情報を含むことを特徴とする請求項１に記載の無線基地局。
【請求項４】
前記キャンセル情報は、前記第２ユーザ端末宛の信号に適用されるプリコーディングに関する情報を含むことを特徴とする請求項１に記載の無線基地局。
【請求項５】
前記キャンセル情報は、前記第２ユーザ端末として特定され得るユーザ端末のリストを含むことを特徴とする請求項１に記載の無線基地局。
【請求項６】
前記キャンセル情報は、前記第１ユーザ端末宛の信号の送信電力及び／又は前記第２ユーザ端末宛の信号の送信電力を示す電力割当情報を含むことを特徴とする請求項１に記載の無線基地局。
【請求項７】
前記キャンセル情報は、前記第２ユーザ端末宛の信号が送信されるリソースブロックを示す情報を含むことを特徴とする請求項１に記載の無線基地局。
【請求項８】
複数のユーザ端末宛の信号を同一の無線リソースに多重する非直交多元接続に対応する無線基地局を備える移動通信システムで用いる移動通信方法であって、
前記無線基地局が、前記非直交多元接続を適用すべき第１ユーザ端末及び第２ユーザ端末を特定するステップと、
前記無線基地局が、前記第１ユーザ端末宛の信号及び前記第２ユーザ端末宛の信号を前記非直交多元接続によって送信するステップと、
前記無線基地局から前記第１ユーザ端末に対して、前記第２ユーザ端末宛の信号のキャンセルに用いるキャンセル情報を送信するステップとを備えることを特徴とする移動通信方法。
【発明の詳細な説明】
【技術分野】
【０００１】
本発明は、複数のユーザ端末宛の信号を同一の無線リソースに多重する非直交多元接続に対応する無線基地局及び移動通信方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、トラフィック需要の急増に対応するために、複数のユーザ端末宛の信号を同一の無線リソースに多重する技術（ＮＯＭＡ；Ｎｏｎ−Ｏｒｔｈｏｇｏｎａｌ  Ｍｕｌｔｉｐｌｅ  Ａｃｃｅｓｓ）が提案されている（例えば、非特許文献１参照）。【０００３】
例えば、無線基地局の近くに位置する第１ユーザ端末及び無線基地局の遠くに位置する第２ユーザ端末に対して同一の無線リソースで信号を送信する。このようなケースにおいて、無線基地局は、第１ユーザ端末宛の信号の送信電力よりも大きい送信電力で第２ユーザ端末宛の信号を送信する。第１ユーザ端末は、第２ユーザ端末宛の信号をキャンセルすることによって、第１ユーザ端末宛の信号を取得する。一方で、第２ユーザ端末宛の信号が第１ユーザ端末宛の信号の送信電力よりも大きいため、第２ユーザ端末は、第１ユーザ端末宛の信号をキャンセルしなくても、第２ユーザ端末宛の信号を取得することができる。
【先行技術文献】
【非特許文献】
【０００４】
【非特許文献１】ＲＰ−１４１１６５  「Ｊｕｓｔｉｆｉｃａｔｉｏｎ  ｆｏｒ  ＮＯＭＡ  ｉｎ  Ｎｅｗ  Ｓｔｕｄｙ  ｏｎ  Ｅｎｈａｎｃｅｄ  ＭＵ−ＭＩＭＯ  ａｎｄ  Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ」  ３ＧＰＰ  ＴＳＧ  ＲＡＮ  ｍｅｅｔｉｎｇ  ＃６５、  Ｅｄｉｎｂｕｒｇｈ，  Ｓｃｏｔｌａｎｄ，  Ｓｅｐｔｅｍｂｅｒ  ９  -  １２，  ２０１４
【発明の概要】
【０００５】
第１の特徴は、複数のユーザ端末宛の信号を同一の無線リソースに多重する非直交多元接続に対応する無線基地局であって、前記非直交多元接続を適用すべき第１ユーザ端末及び第２ユーザ端末を特定する制御部と、前記第１ユーザ端末宛の信号及び前記第２ユーザ端末宛の信号を前記非直交多元接続によって送信する送信部とを備え、前記送信部は、前記第２ユーザ端末宛の信号のキャンセルに用いるキャンセル情報を前記第１ユーザ端末に送信することを要旨とする。
【０００６】
第２の特徴は、複数のユーザ端末宛の信号を同一の無線リソースに多重する非直交多元接続に対応する無線基地局を備える移動通信システムで用いる移動通信方法であって、前記無線基地局が、前記非直交多元接続を適用すべき第１ユーザ端末及び第２ユーザ端末を特定するステップと、前記無線基地局が、前記第１ユーザ端末宛の信号及び前記第２ユーザ端末宛の信号を前記非直交多元接続によって送信するステップと、前記無線基地局から前記第１ユーザ端末に対して、前記第２ユーザ端末宛の信号のキャンセルに用いるキャンセル情報を送信するステップとを備えることを要旨とする。
【図面の簡単な説明】
【０００７】
【図１】実施形態に係るＬＴＥシステムの構成図である。
【図２】実施形態に係るＵＥ１００のブロック図である。
【図３】実施形態に係るｅＮＢ２００のブロック図である。
【図４】実施形態に係る無線インターフェイスのプロトコルスタック図である。
【図５】実施形態に係るＬＴＥシステムで使用される無線フレームの構成図である。
【図６】実施形態に係る適用シーンを説明するための図である。
【図７】実施形態に係る多重化方法を説明するための図である。
【図８】実施形態に係る多重化方法を説明するための図である。
【図９】実施形態に係る多重化方法を説明するための図である。
【図１０】実施形態に係る移動通信方法を示すシーケンス図である。
【図１１】変更例１に係る多重化方法を説明するための図である。
【図１２】付記に係る複数の遠方ＵＥのケースの例を示す図である。
【図１３】付記に係る遠近ＵＥの場合の例を示す図である。
【発明を実施するための形態】
【０００８】
以下において、実施形態について図面を参照しながら説明する。なお、以下の図面の記載において、同一又は類似の部分には、同一又は類似の符号を付している。
【０００９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１０】
［開示の概要］
開示の概要に係る無線基地局は、複数のユーザ端末宛の信号を同一の無線リソースに多重する非直交多元接続に対応する無線基地局である。前記無線基地局は、前記非直交多元接続を適用すべき第１ユーザ端末及び第２ユーザ端末を特定する制御部と、前記第１ユーザ端末宛の信号及び前記第２ユーザ端末宛の信号を前記非直交多元接続によって送信する送信部とを備え、前記送信部は、前記第２ユーザ端末宛の信号のキャンセルに用いるキャンセル情報を前記第１ユーザ端末に送信する。
【００１１】
開示の概要では、無線基地局は、第２ユーザ端末宛の信号のキャンセルに用いるキャンセル情報を第１ユーザ端末に送信する。従って、第１ユーザ端末宛の信号及び第２ユーザ端末宛の信号の多重化方法として様々な多重化方法が適用されるケースなどを想定した場合であっても、第１ユーザ端末が適切に第１ユーザ端末宛の信号を取得することができる。
【００１２】
［実施形態］
以下において、移動通信システムとして、３ＧＰＰ規格に基づいたＬＴＥシステムを例に挙げて、実施形態を説明する。
【００１３】
（システム構成）
実施形態に係るＬＴＥシステムのシステム構成について説明する。図１は、実施形態に係るＬＴＥシステムの構成図である。
【００１４】
図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１５】
ＵＥ１００は、ユーザ端末に相当する。ＵＥ１００は、移動型の通信装置であり、ｅＮＢ２００によって形成されるセル（ＵＥ１００がＲＲＣコネクティッド状態である場合には、サービングセル）との無線通信を行う。ＵＥ１００の構成については後述する。
【００１６】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、無線基地局に相当する。ｅＮＢ２００は、Ｘ２インターフェイスを介して相互に接続される。ｅＮＢ２００の構成については後述する。
【００１７】
ｅＮＢ２００は、１又は複数のセルを形成しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００１８】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００１９】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。無線送受信機１１０及びプロセッサ１６０は、送信部及び受信部を構成する。ＵＥ１００は、ＧＮＳＳ受信機１３０を有していなくてもよい。また、メモリ１５０をプロセッサ１６０と一体化し、このセット（すなわち、チップセット）をプロセッサとしてもよい。
【００２０】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、受け付けた操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２２】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）とを含む。プロセッサ１６０は、さらに、音声・映像信号の符号化・復号を行うコーデックを含んでもよい。プロセッサ１６０は、後述する各種の処理及び各種の通信プロトコルを実行する。
【００２３】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。無線送受信機２１０（及び／又はネットワークインターフェイス２２０）及びプロセッサ２４０は、送信部及び受信部を構成する。また、メモリ２３０をプロセッサ２４０と一体化し、このセット（すなわち、チップセット）をプロセッサとしてもよい。
【００２４】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００２５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００２６】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵとを含む。プロセッサ２４０は、後述する各種の処理及び各種の通信プロトコルを実行する。
【００２７】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００２９】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００３１】
ＰＤＣＰ層は、ヘッダ圧縮・伸張、及び暗号化・復号化を行う。また、ＰＤＣＰ層には、データユニット（ＰＤＣＰ  ＰＤＵ）を送信するための送信エンティティ又はデータユニット（ＰＤＣＰ  ＰＤＵ）を受信するための受信エンティティが形成されることに留意すべきである。
【００３２】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合に、ＵＥ１００はＲＲＣコネクティッド状態であり、ＵＥ１００のＲＲＣとｅＮＢ２００のＲＲＣとの間に接続（ＲＲＣ接続）がない場合に、ＵＥ１００はＲＲＣアイドル状態である。
【００３３】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００３４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３５】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００３６】
（適用シーン）
以下において、適用シーンについて説明する。図６は、実施形態に係る適用シーンを説明するための図である。
【００３７】
図６に示すように、適用シーンでは、ｅＮＢ２００が有するセル内にＵＥ１００＃１〜ＵＥ１００＃３が在圏するケースを想定する。このようなケースにおいて、ｅＮＢ２００は、複数のＵＥ１００宛の信号を同一の無線リソースに多重する非直交多元接続に対応する無線基地局である。ここで、無線リソースとは、時間リソース及び周波数リソースによって定義される。同一の無線リソースとは、時間リソース及び周波数リソースの双方が同じであることを意味する。
【００３８】
第１に、ｅＮＢ２００（制御部）は、非直交多元接続を適用すべき第１ユーザ端末及び第２ユーザ端末を特定する。具体的には、ｅＮＢ２００は、ＵＥ１００＃１〜ＵＥ１００＃３のそれぞれから受信する距離判定情報に基づいて、ｅＮＢ２００と各ＵＥ１００との伝搬ロスの大きさ（以下、伝搬距離）を特定する。続いて、ｅＮＢ２００は、ｅＮＢ２００から所定伝搬距離よりも近くに位置するＵＥ１００（例えば、ＵＥ１００＃１）を第１ユーザ端末として特定し、ｅＮＢ２００から所定伝搬距離よりも遠くに位置するＵＥ１００（例えば、ＵＥ１００＃２又はＵＥ１００＃３）を第２ユーザ端末として特定する。
【００３９】
ｅＮＢ２００は、２以上のＵＥ１００を第１ユーザ端末として特定してもよい。但し、第１ユーザ端末として特定されるＵＥ１００は、非直交多元接続に対応していることに留意すべきである。非直交多元接続に対応しているか否かは、ＵＥ１００からｅＮＢ２００に送信される能力情報（ＵＥ  Ｃａｐａｂｉｌｉｔｙ）に基づいて判断される。ｅＮＢ２００は、２以上のＵＥ１００を第２ユーザ端末として特定してもよい。なお、第２ユーザ端末として特定されるＵＥ１００は、非直交多元接続に対応していても、非直交多元接続に対応していなくてもよいことに留意すべきである。
【００４０】
ここで、距離判定情報は、各ＵＥ１００からｅＮＢ２００に送信されるＳＲＳ（Ｓｏｕｎｄｉｎｇ  Ｒｅｆｅｒｅｎｃｅ  Ｓｉｇｎａｌ）、各ＵＥ１００からｅＮＢ２００に送信される測定報告、及び、各ＵＥ１００からｅＮＢ２００に送信されるＣＳＩフィードバックの中から選択された１以上の情報である。測定報告は、ｅＮＢ２００から報知されるセル固有参照信号（ＣＲＳ；Ｃｅｌｌ  Ｓｐｅｃｉｆｉｃ  Ｒｅｆｅｒｅｎｃｅ  Ｓｉｇｎａｌ）の受信品質（ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  ＳｉｇｎａｌＲｅｃｅｉｖｅｄ  Ｑｕａｌｉｔｙ））を含む。ＣＳＩフィードバックは、ｅＮＢ２００から報知される参照信号（ＣＳＩ−ＲＳ）の受信品質に基づいて生成されるチャネル状態情報（Ｃｈａｎｎｅｌ  Ｓｔａｔｅ  Ｉｎｆｏｒｍａｔｉｏｎ）を含む。受信品質（ＲＳＲＰやＲＳＲＱ）やチャネル状態情報（ＣＳＩ）は、ｅＮＢ２００から報知される信号に基づいて各ＵＥ１００が取得するとともに、各ＵＥ１００からｅＮＢ２００に送信される情報であることに留意すべきである。なお、距離判定情報は、各ＵＥ１００が有するＧＰＳ機能によって取得される地理的な位置を示す情報であってもよい。伝搬距離は、これらの距離判定情報から推定されてもよい。
【００４１】
第２に、ｅＮＢ２００（制御部）は、第１ユーザ端末宛の信号の送信電力及び第２ユーザ端末宛の信号の送信電力を決定する。例えば、ｅＮＢ２００は、ｅＮＢ２００及び第１ユーザ端末の間の伝搬距離とｅＮＢ２００及び第２ユーザ端末の間の伝搬距離との差異に基づいて、第１ユーザ端末及び第２ユーザ端末宛の信号の送信電力を決定する。また、ｅＮＢ２００は、下りリンクのチャネル品質やアンテナレイヤ間の干渉に基づいて、第１ユーザ端末及び第２ユーザ端末宛の信号の送信電力を決定してもよい。
【００４２】
第３に、ｅＮＢ２００（送信部）は、第２ユーザ端末宛の信号のキャンセルに用いるキャンセル情報を第１ユーザ端末に送信する。キャンセル情報は、第２ユーザ端末宛の信号のキャンセルに用いる情報であれば特に限定されるものではないが、例えば、以下に示す情報を含むことが好ましい。
【００４３】
具体的には、キャンセル情報は、第１ユーザ端末宛の信号及び第２ユーザ端末宛の信号の多重化方法を示す情報を少なくとも含むことが好ましい。多重化方法としては、後述するように、様々な多重化方法が考えられることに留意すべきである。多重化方法は、予め定められた複数種類の多重化方法のそれぞれに対応付けられたインデックスによって表現されてもよい。
【００４４】
キャンセル情報は、第２ユーザ端末に適用される変調方式及び符号化方式の組合せ（ＭＣＳ；Ｍｏｄｕｌａｔｉｏｎ  ａｎｄ  Ｃｏｄｉｎｇ  Ｓｃｈｅｍｅ）を示す情報、第２ユーザ端末に割り当てられた識別情報（Ｃ−ＲＮＴＩ；Ｃｅｌｌ−Ｒａｄｉｏ．  Ｎｅｔｗｏｒｋ  Ｔｅｍｐｏｒａｒｙ  Ｉｄｅｎｔｉｆｉｅｒ）、第２ユーザ端末に適用される冗長モード（ＲＶ；Ｒｅｄｕｎｄａｎｃｙ  Ｖｅｒｓｉｏｎ）を示す情報、及び、第２ユーザ端末に適用される送信モード（Ｔｒａｎｓｍｉｓｓｉｙｏｎ  Ｍｏｄｅ）を示す情報の中から選択された１以上の情報を含んでもよい。
【００４５】
キャンセル情報は、第２ユーザ端末宛の信号に適用されるプリコーディングに関する情報（ＰＭＩ（Ｐｒｅｃｏｄｉｎｇ  Ｍａｔｒｉｘ  Ｉｎｄｉｃａｔｏｒ）やプリコーダ情報）を含んでもよい。プリコーディングに関する情報は、第２ユーザ端末宛の信号が初送信号であるか再送信号であるかを示す情報を含んでもよい。
【００４６】
キャンセル情報は、第２ユーザ端末として特定され得るＵＥ１００のリストを含んでもよい。言い換えると、キャンセル情報は、第２ユーザ端末の候補として選択されたＵＥ１００のリストを含んでもよい。このようなケースにおいて、複数のＵＥ１００が第２ユーザ端末の候補として選択された場合には、キャンセル情報は、第２ユーザ端末の候補として選択された複数のＵＥ１００のそれぞれの情報（例えば、ＭＣＳ、Ｃ−ＲＮＴＩ、ＲＶ、Ｔｒａｎｓｍｉｓｓｉｙｏｎ  Ｍｏｄｅ、ＰＭＩ、プリコーダ情報）を含むことが好ましい。
【００４７】
キャンセル情報は、第１ユーザ端末宛の信号の送信電力及び／又は第２ユーザ端末宛の信号の送信電力を示す電力割当情報を含んでもよい。電力割当情報は、第１ユーザ端末及び／又は第２ユーザ端末宛の信号の送信電力を示す情報であればよい。電力割当情報は、送信電力の絶対値を示す情報であってもよく、ＵＥ１００の最大送信電力に対する比率であってもよい。或いは、電力割当情報は、予め定められた複数種類の送信電力のそれぞれに対応付けられたインデックスによって表現されてもよい。
【００４８】
キャンセル情報は、第２ユーザ端末宛の信号が送信されるリソースブロックを示す情報を含んでもよい。リソースブロックは、時間リソース（例えば、サブフレーム）及び周波数リソース（例えば、複数個のサブキャリア）によって定義される。
【００４９】
ここで、ｅＮＢ２００（送信部）は、第１ユーザ端末宛のスケジューリング情報（ＤＣＩ；Ｄｏｗｎｌｉｎｋ  Ｃｏｎｔｒｏｌ  Ｉｎｆｏｒｍａｔｉｏｎ）にキャンセル情報を含めてもよい。或いは、ｅＮＢ２００は、第１ユーザ端末宛のＲＲＣメッセージにキャンセル情報を含めてもよい。
【００５０】
第４に、ｅＮＢ２００（送信部）は、第１ユーザ端末宛の信号及び第２ユーザ端末宛の信号を非直交多元接続によって送信する。第１ユーザ端末宛の信号及び第２ユーザ端末宛の信号のうちの少なくとも一部は、上述したように、同一の無線リソースに多重されることに留意すべきである。
【００５１】
図６に示すように、ＵＥ＃１が第１ユーザ端末であり、ＵＥ＃２又はＵＥ＃３が第２ユーザ端末であるケースについて例示した。しかしながら、実施形態はこれに限定されるものではない。例えば、１つの割当リソース単位に対して、３以上の異なるＵＥ１００宛の信号が多重されてもよい。このようなケースにおいて、２以上のＵＥ１００が第１ユーザ端末として特定されてもよく、２以上のＵＥ１００が第２ユーザ端末として特定されてもよい。２以上のＵＥ１００が第２ユーザ端末として特定されるケースにおいて、２以上のＵＥ１００宛の信号は、マルチキャストデータ又はブロードキャストデータであってもよい。また、１つのＵＥ１００が同時に第１ユーザ端末及び第２ユーザ端末として特定されてもよい。
【００５２】
ここで、割当リソース単位とは、第１ユーザ端末宛の信号の送信電力と第２ユーザ端末宛の信号の送信電力との多重が行われるリソースの単位である。割当リソース単位は、例えば、アンテナレイヤやリソースブロックである。
【００５３】
例えば、１つの割当リソース単位に対して、３つの異なるＵＥ１００宛の信号が多重される場合に、伝搬距離が最も近いＵＥ１００がＵＥ＃１であり、伝搬距離が２番目に近いＵＥ１００がＵＥ＃２であり、伝搬距離が最も遠いＵＥ１００がＵＥ＃３であるケースについて考える。このようなケースにおいて、ｅＮＢ２００は、ＵＥ＃２宛の信号をキャンセルするためのキャンセル情報及びＵＥ＃３宛の信号をキャンセルするためのキャンセル情報をＵＥ＃１に送信する。ｅＮＢ２００は、ＵＥ＃３宛の信号をキャンセルするためのキャンセル情報をＵＥ＃２に送信する。すなわち、キャンセル情報の宛先ＵＥと比べて、伝搬距離が近いＵＥ宛のキャンセル情報を送信しなくてもよい。
【００５４】
（多重化方法）
以下において、適用シーンについて説明する。図７〜図９は、実施形態に係る多重化方法を説明するための図である。ここでは、第１ユーザ端末としてＵＥ＃１が特定され、第２ユーザ端末としてＵＥ＃２が特定されるケースを例示する。また、アンテナレイヤ＃１を用いて非直交多元接続が行われ、アンテナレイヤ＃２を用いて非直交多元接続が行われないケースを例示する。なお、図７〜図９では、割当リソース単位がアンテナレイヤであるケースが例示されている。
【００５５】
第１に、ＵＥ＃１宛の下りリンク信号の品質が良好であり、ＵＥ＃２がｅＮＢ２００から非常に離れている（セルエッジに近い）ケースについて、図７を参照しながら説明する。このようなケースにおいては、図７に示すように、アンテナレイヤ＃２を用いて送信される信号の総送信電力を減少するとともに、ＵＥ＃２に対して信号が到達するように、アンテナレイヤ＃１を用いて送信されるＵＥ＃２宛の信号の送信電力を増大する。アンテナレイヤ＃２を用いて送信されるＵＥ＃１宛の信号の送信電力は、アンテナレイヤ＃１を用いて送信されるＵＥ＃１宛の信号の送信電力と同程度である。アンテナレイヤ＃１を用いて送信されるＵＥ＃２宛の信号の送信電力の増大量は、アンテナレイヤ＃２を用いて送信される信号の総送信電力の減少量と同程度であることが好ましい。
【００５６】
第２に、アンテナレイヤ間の干渉を一定範囲内に抑制する必要があるケースについて、図８を参照しながら説明する。このようなケースにおいては、図８に示すように、アンテナレイヤ＃２を用いて送信されるＵＥ＃１宛の信号の送信電力と比べて、アンテナレイヤ＃１を用いて送信されるＵＥ＃１宛の信号の送信電力を増大する。アンテナレイヤ＃２を用いて送信される信号の総送信電力は、アンテナレイヤ＃１を用いて送信される信号の総送信電力と同程度である。
【００５７】
第３に、図７に示すケースと比べて、ＵＥ＃２宛の下りリンク信号の品質が良好であるケースについて、図９を参照しながら説明する。このようなケースにおいては、図９に示すように、アンテナレイヤ＃１を用いて送信されるＵＥ＃２宛の信号の送信電力は、図７に示すケースと比べて小さくてもよい。
【００５８】
（移動通信方法）
以下において、実施形態に係る移動通信方法について説明する。図１０は、実施形態に係る移動通信方法を示すシーケンス図である。第１ユーザ端末としてＵＥ１００＃１が特定され、第２ユーザ端末としてＵＥ１００＃２が特定されるケースを例示する。
【００５９】
図１０に示すように、ステップＳ１０において、ＵＥ１００＃１及びＵＥ１００＃２は、それぞれ、距離判定情報をｅＮＢ２００に送信する。距離判定情報は、上述したように、ＳＲＳ（Ｓｏｕｎｄｉｎｇ  Ｒｅｆｅｒｅｎｃｅ  Ｓｉｇｎａｌ）、測定報告及びＣＳＩフィードバックの中から選択された１以上の情報である。
【００６０】
ステップＳ２０において、ｅＮＢ２００は、非直交多元接続を適用すべき第１ユーザ端末としてＵＥ１００＃１を特定し、非直交多元接続を適用すべき第２ユーザ端末としてＵＥ１００＃２を特定する。続いて、ｅＮＢ２００は、ＵＥ１００＃１宛の信号及びＵＥ１００＃２宛の信号の多重化方法を決定するとともに、ＵＥ１００＃１宛の送信電力及びＵＥ１００＃２宛の信号の送信電力を決定する（例えば、図７〜図９を参照）。
【００６１】
ステップＳ３０において、ｅＮＢ２００は、ＵＥ１００＃２宛の信号のキャンセルに用いるキャンセル情報（図１０では、Ｓｕｐｅｒｐｏｓｉｔｉｏｎ情報）をＵＥ１００＃１に送信する。キャンセル情報は、上述したように、ＵＥ１００＃１宛の信号及びＵＥ１００＃２宛の信号の多重化方法（図７〜図９を参照）を示す情報を少なくとも含むことが好ましい。キャンセル情報は、ＵＥ１００＃１宛の信号の送信電力及び／又はＵＥ１００＃２宛の信号の送信電力を示す電力割当情報を含んでもよい。さらに、キャンセル情報は、ＵＥ１００＃２に適用されるＭＣＳを示す情報、ＵＥ１００＃２に割り当てられたＣ−ＲＮＴＩ、ＵＥ１００＃２に適用されるＲＶ、ＵＥ１００＃２に適用されるＴｒａｎｓｍｉｓｓｉｏｎ  Ｍｏｄｅ、ＵＥ１００＃２に適用されるプリコーディングに関する情報、ＵＥ１００＃２宛の信号が送信されるリソースブロックを示す情報などを含んでもよい。
【００６２】
ｅＮＢ２００は、ＵＥ１００＃１宛のスケジューリング情報（ＤＣＩ；Ｄｏｗｎｌｉｎｋ  Ｃｏｎｔｒｏｌ  Ｉｎｆｏｒｍａｔｉｏｎ）にキャンセル情報を含めてもよい。或いは、ｅＮＢ２００は、ＵＥ１００＃１宛のＲＲＣメッセージにキャンセル情報を含めてもよい。
【００６３】
ステップＳ４０において、ｅＮＢ２００は、ＵＥ１００＃１宛の信号及びＵＥ１００＃２宛の信号を非直交多元接続によって送信する。ＵＥ１００＃１宛の信号及びＵＥ１００＃２宛の信号は、上述したように、同一の無線リソースに多重されることに留意すべきである。
【００６４】
ステップＳ５０において、ＵＥ１００＃１は、ＵＥ１００＃１宛の信号を復調する。具体的には、ＵＥ１００＃１は、キャンセル情報に基づいてＵＥ１００＃２宛の信号をキャンセルすることによって、ＵＥ１００＃１宛の信号を復調する。
【００６５】
ステップＳ６０において、ＵＥ１００＃２は、ＵＥ１００＃２宛の信号を復調する。図７〜図９に示したように、ＵＥ１００＃２宛の信号の送信電力はＵＥ１００＃１宛の信号の送信電力よりも大きいため、ＵＥ１００＃２は、ＵＥ１００＃１宛の信号をキャンセルしなくても、ＵＥ１００＃２宛の信号を復調することができる。
【００６６】
（作用及び効果）
実施形態では、ｅＮＢ２００は、第２ユーザ端末宛の信号のキャンセルに用いるキャンセル情報を第１ユーザ端末に送信する。従って、第１ユーザ端末宛の信号及び第２ユーザ端末宛の信号の多重化方法として様々な多重化方法が適用されるケースなどを想定した場合であっても、第１ユーザ端末が適切に第１ユーザ端末宛の信号を取得（復調）することができる。
【００６７】
［変更例１］
以下において、実施形態の変更例１について説明する。以下においては、実施形態に対する相違点について主として説明する。
【００６８】
具体的には、実施形態（図７〜図９）では、第２ユーザ端末として単数のＵＥ１００（ＵＥ＃２）が特定されるケースを例示した。これに対して、変更例１では、第２ユーザ端末として複数のＵＥ１００（ＵＥ＃２及びＵＥ＃３）が特定されるケースを例示した。
【００６９】
（多重化方法）
以下において、適用シーンについて説明する。図１１は、変更例１に係る多重化方法を説明するための図である。ここでは、第１ユーザ端末としてＵＥ＃１が特定され、第２ユーザ端末としてＵＥ＃２及びＵＥ＃３が特定されるケースを例示する。また、アンテナレイヤ＃１及びアンテナレイヤ＃２の双方を用いて非直交多元接続が行われるケースを例示する。
【００７０】
図１１に示すように、第２ユーザ端末としてＵＥ＃２及びＵＥ＃３が特定されるケースでは、アンテナレイヤ＃１においてＵＥ＃１宛の信号及びＵＥ＃２宛の信号が多重され、アンテナレイヤ＃２においてＵＥ＃１宛の信号及びＵＥ＃３宛の信号が多重される。
【００７１】
ここで、ＵＥ＃１は、ＵＥ＃２宛の信号及びＵＥ＃３宛の信号の双方をキャンセルする必要がある。言い換えると、セル全体としてスループットの向上が見込めるが、ＵＥ＃１のオーバヘッドが増大する。すなわち、スループットの向上及びオーバヘッドの増大は、トレードオフの関係を有する。
【００７２】
このような観点から、第２ユーザ端末として複数のＵＥ１００を特定するか否かについては、上述したトレードオフの関係に基づいて決定されることが好ましい。
【００７３】
変更例１では、アンテナレイヤ間で異なるＵＥ＃２及びＵＥ＃３を第２ユーザ端末として特定しているが、変更例１はこれに限定されるものではない。例えば、リソースブロック間で異なるＵＥ＃２及びＵＥ＃３を第２ユーザ端末として特定してもよい。
【００７４】
変更例１では、２つのＵＥ１００が第２ユーザ端末として特定されるが、３以上のＵＥ１００が第２ユーザ端末として特定されてもよい。
【００７５】
［変更例２］
以下において、実施形態の変更例２について説明する。以下においては、実施形態に対する相違点について主として説明する。
【００７６】
実施形態では特に触れていないが、変更例２では、ｅＮＢ２００は、割当リソース単位毎に、第２ユーザ端末の電力情報を第２ユーザ端末に送信する。割当リソース単位は、上述したように、第１ユーザ端末宛の信号の送信電力と第２ユーザ端末宛の信号の送信電力との多重が行われるリソースの単位である。割当リソース単位は、例えば、アンテナレイヤやリソースブロックである。また、第２ユーザ端末の電力情報とは、第２ユーザ端末宛の信号の送信電力の値を取得するため情報であればよい。第２ユーザ端末の電力情報は、例えば、第１ユーザ端末宛の信号の送信電力と第２ユーザ端末宛の信号の送信電力との差異（送信電力差）を示す情報であってもよく、第２ユーザ端末宛の信号の送信電力の値そのものであってもよい。第２ユーザ端末の電力情報は、第２ユーザ端末宛のスケジューリング情報（ＤＣＩ；Ｄｏｗｎｌｉｎｋ  Ｃｏｎｔｒｏｌ  Ｉｎｆｏｒｍａｔｉｏｎ）に含まれていてもよく、第２ユーザ端末宛のＲＲＣメッセージに含まれていてもよい。但し、第２ユーザ端末が非直交多元接続に対応していることが条件であることが好ましい。これによって、第２ユーザ端末宛の信号の変調方式として、直角位相振幅変調（ＱＡＭ；Ｑｕａｄｒａｔｕｒｅ  Ａｍｐｌｉｔｕｄｅ  Ｍｏｄｕｌａｔｉｏｎ）を用いることが可能である。
【００７７】
［変更例３］
以下において、実施形態の変更例３について説明する。以下においては、変更例１に対する相違点について主として説明する。
【００７８】
具体的には、変更例１では、１つの第１ユーザ端末（ＵＥ＃１）宛の信号を複数の第２ユーザ端末（ＵＥ＃２及びＵＥ＃３）宛の信号に非直交多元接続で多重する運用が許容される。
【００７９】
これに対して、変更例３では、１つの第１ユーザ端末宛の信号を複数の第２ユーザ端末宛の信号に非直交多元接続で多重する運用が禁止される。詳細には、１つのアンテナレイヤ又はリソースブロックにおいて、異なるＵＥ１００が第２ユーザ端末として特定される運用が禁止されてもよい。或いは、２以上のアンテナレイヤ或いはリソースブロック間において、異なるＵＥ１００が第２ユーザ端末として特定される運用が禁止されてもよい。
【００８０】
また、変更例３では、１つのＵＥ１００を同時に第１ユーザ端末及び第２ユーザ端末として特定する運用が禁止される。１つのアンテナレイヤ又はリソースブロックにおいて、１つのＵＥ１００を同時に第１ユーザ端末及び第２ユーザ端末として特定する運用が禁止されてもよい。或いは、２以上のアンテナレイヤ或いはリソースブロック間において、１つのＵＥ１００を同時に第１ユーザ端末及び第２ユーザ端末として特定する運用が禁止されてもよい。
【００８１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８２】
実施形態では特にふれていないが、非直交多元接続を用いるケースにおいて、第１ユーザ端末に適用されるＰＭＩ又はプリコーダ情報は、第２ユーザ端末に適用されるＰＭＩ又はプリコーダ情報と同じであることが前提であってもよい。
【００８３】
実施形態では特にふれていないが、第２ユーザ端末宛のスケジューリング情報（ＤＣＩ；Ｄｏｗｎｌｉｎｋ  Ｃｏｎｔｒｏｌ  Ｉｎｆｏｒｍａｔｉｏｎ）を第１ユーザ端末が傍受可能である場合には、キャンセル情報は、多重化方法及び電力割当情報に加えて、第２ユーザ端末に割り当てられたＣ−ＲＮＴＩ及び第２ユーザ端末に適用されるＴｒａｎｓｍｉｓｓｉｏｎ  Ｍｏｄｅを含んでいてもよい。
【００８４】
実施形態では特に触れていないが、ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００８５】
或いは、ＵＥ１００及びｅＮＢ２００が行う各処理を実行するためのプログラムを記憶するメモリ及びメモリに記憶されたプログラムを実行するプロセッサによって構成されるチップが提供されてもよい。
【００８６】
実施形態では、移動通信システムの一例としてＬＴＥシステムを説明した。しかしながら、実施形態はこれに限定されるものではない。移動通信システムは、ＬＴＥシステム以外のシステムであってもよい。
【００８７】
［付記１］
（１．はじめに）
本付記では、下りリンクマルチユーザ重ね合わせ送信のための電力レイヤ領域における割当スキームについて議論する。
【００８８】
（２．議論）
以下の合意が得られた：
合意：
・ターゲットとされたセル内干渉シナリオ
・この研究では、空間レイヤ（またはビーム）毎に２つの共同スケジュールされたＵＥからの最大２つの重ね合わされたデータレイヤが考慮される。
・この研究で考慮されたセル内の空間レイヤ（またはビーム）の最大数は今後の検討である。
【００８９】
合意：
・重ね合わされたＵＥのため同じプリコーダが考慮される。
【００９０】
−ＵＥ１のためのランク１プリコーダベクトルがｖ１，１であり、ＵＥ２のためのランク２プリコーダ行列が［ｖ２，１  ｖ２，２］およびｖ１，１＝ｖ２，１である場合もまた、同じプリコーダの場合として考慮される。
【００９１】
−これは異なるプリコーダである場合を排除しないが、カンパニは、異なるプリコーダである場合のための詳細な仮定、たとえば、他のＵＥのプリコーダ情報および受信機の仮定の有効性等を提供すべきである。
【００９２】
上記合意に従って、下りリンク電力割当スキームのいくつかの問題について議論される。
【００９３】
（２．１．複数の遠方ＵＥ問題）
合意によれば、異なるＵＥが、図１２に例示されるように、各レイヤ上に重ね合わされ得る。レイヤ毎の同じ近隣ＵＥのデータとともに異なる遠方ＵＥデータを割り当てることは、シグナリングオーバヘッドと、近隣ＵＥ受信機の複雑さを増す。なぜなら、近隣ＵＥは、遠方ＵＥデータとそれ自身のデータとの両方をデコードする必要があるからである（たとえば、いくつかの場合は、異なる遠方ＵＥデータを取り扱うために、複数のデコーダを必要とし得る）。なお、上記の複数の遠方ＵＥデータ問題は、空間領域（すなわち、レイヤ間）においてのみならず、周波数領域（すなわち、リソース間ブロック）においても引き起こる。
【００９４】
観察１：複数の遠方ＵＥが、ＵＥ上に重ね合わされる場合、近隣ＵＥは、異なるＵＥのためのデータをデコードするために、重ね合わされたすべての遠方ＵＥのデータの情報（たとえば、遠方ＵＥ毎のＣ−ＲＮＴＩ、ＭＣＳ、ＲＶ、ＴＭ、割り当てられたＲＢ、レイヤ数、プリコーダ、割り当てられた電力比等）を必要とする。これは、より高いシグナリングおよびＵＥ受信機複雑さをもたらす。
【００９５】
提案１：ＲＡＮ１は、ＵＥに重ね合わされた複数の遠方ＵＥの場合を考慮するべきである。
【００９６】
（２．２．遠近ＵＥ問題）
ＵＥが、第１のレイヤにおいて近隣ＵＥとして、第２のレイヤにおいて遠方ＵＥとして割り当てられることが可能である。これは図１３に図示される。本付記において、このシナリオを「遠近ＵＥ」と称するであろう。
【００９７】
観察２：ＵＥは、同時に、近隣ＵＥおよび遠方ＵＥであり得る。
【００９８】
この場合、遠近ＵＥは、その複雑な割当によって、複雑化された情報を必要とする。それに加えて、レガシーＵＥは、遠方ＵＥとは異なり、遠近ＵＥになることはできない。なお、遠近ＵＥ問題は、空間領域（すなわち、レイヤ間）のみならず、周波数領域（すなわち、リソース間ブロック）においても引き起こる。
【００９９】
提案２：ＲＡＮ１は、同時に近隣ＵＥであり遠方ＵＥであるＵＥのような電力割当の場合のインパクトを考慮すべきである。
【０１００】
（付属書：電力レイヤ領域における重ね合うパターン）
表１は、レイヤランク基づく電力割り当ての例を示す。（近隣ＵＥのリソースが緑色であり、遠方ＵＥのものは赤であり、縦−横は、電力−レイヤである。）
【０１０１】
【表１】
2016185969.tif 000003
＊重ね合わされたレイヤの数が０であるケースはただ単にＭＵ−ＭＩＭＯであるため、このケースは本検討の範囲外であると考える。
＊＊このケースは、現実的な場合には発生しないかもしれないが、図１３に示すように、同様の例は、３ＵＥ以上の間で発生する可能性がある。
【０１０２】
［相互参照］
米国仮出願第６２／１６２１４５号（２０１５年５月１５日出願）の全内容が参照により本願明細書に組み込まれている。
【産業上の利用可能性】
【０１０３】
本発明は、通信分野において有用である。
【図１】
2016185969.tif 000004
【図２】
2016185969.tif 000005
【図３】
2016185969.tif 000006
【図４】
2016185969.tif 000007
【図５】
2016185969.tif 000008
【図６】
2016185969.tif 000009
【図７】
2016185969.tif 000010
【図８】
2016185969.tif 000011
【図９】
2016185969.tif 000012
【図１０】
2016185969.tif 000013
【図１１】
2016185969.tif 000014
【図１２】
2016185969.tif 000015
【図１３】
2016185969.tif 000016
【国際調査報告】
2016185969.tif 000017
2016185969.tif 000018
2016185969.tif 000019
2016185969.tif 000020